(57)【要約】【課題】掃除を簡単に迅速に行うことができ、建物内部のリホームが容易に実施できて汚れや匂いを防ぐことが可能なフロアマットを提供する。【解決手段】フロアマット１は合成樹脂シートを表面層１１とし、表面層１１の裏面に固着されたゴムなどの弾性を有する下地層１２とから構成されている。両者１１、１２は、接着剤等により固着されている。合成樹脂として塩化ビニール樹脂が用いられる。表面層１１は１〜３ｍｍの厚さが適当であり、下地層１２は２〜１０ｍｍである。このような構成により、エレベータ等のリホーム時におけるフロアマットの敷設性、作業性、耐久性が好適になる。【選択図】  図１
2019019546.tif 000002
【特許請求の範囲】
【請求項１】
弾性を有する下地層と、当該下地層の表面に接着された平滑性を有する合成樹脂シートからなる表面層とを備え、前記下地層は、２ｍｍ〜１０ｍｍの厚さを有すること特徴とするフロアマット。
【請求項２】
前記請求項１に記載されたフロアマットは、建物内部のエレベータ、浴室、トイレ等の部屋のリホームに用いられ、当該部屋の床面は、当該床面を囲む周囲より低い段差を有しており、当該段差は、前記下地層の厚さを調整することによって、前記フロアマットが埋められることを特徴とするフロアマット。
【請求項３】
請求項１又は請求項２のいずれかに記載されたフロアマットにおいて、当該フロアマットは、前記部屋に敷かれ、前記部屋の入り口に接する端部には、前記下地層と同じ材料で形成された段差エッジが設けられており、当該段差エッジと前記フロアマット端部との接合部分において、前記段差エッジ及び前記フロアマットの表面は、同一平面を構成しており、前記接合部分より離れた段差エッジ部分は、前記接合部分より薄く外方に延びていることを特徴とするフロアマット。
【発明の詳細な説明】
【技術分野】
【０００１】
本発明は、部屋の入り口に敷いて外部からの埃やごみなどの進入を防ぎ、また、エレベータや他の建築物の内部に内装を施す際に用いるフロアマットに関するものである。
【背景技術】
【０００２】
従来のフロアマット１００は、図５に示すように、ゴムなどの弾性体からなる下地層１０１と、下地層１０１の表面に接着、あるいは植設された、多孔質で繊維状の表面層１０２とから構成されている。このようなフロアマットは、建物の入り口や建物内部にある部屋の入り口等に配置して湿気を吸収し、砂や土を吸着して外部の汚れが内部に影響を及ぼさないようにしている。
【０００３】
出願人は、先に、短時間に容易に施工ができるマグネット式内装施工方法（特許文献１）を提案している。この施工方法は、合成樹脂シートとマグネットシートとから構成された内装フィルム及び磁性材料から構成された下地シートを用意し、建築物内部の壁面又は床面、建築物内部に設置された構造物、建築物内部の仕切りの所定の領域を内装する領域と定め、これら内装を施す領域の表面上に形成された下地シート上に内装フィルムを磁力により取付けるものである。
【０００４】
従来、公共建築物、住宅、幼稚園、保育所等の建築物は、必要に応じて内部のリホームを行い、建築物の寿命を長くしている。このようなリホームによって、建築物内部の壁面や床面などの表面を新しい内装材に張り替え、以前と異なる環境に変えることが出来る。例えば、特許文献１に開示された施工方法ではマグネットを利用した内装フィルムを壁面に利用してリホームを短時間で迅速に行うことが出来るようにしている。
【先行技術文献】
【特許文献】
【０００５】
【特許文献１】特開２０１４−２２７７８３号公報
【発明の概要】
【発明が解決しようとする課題】
【０００６】
従来のフロアマットは、図５に示すように建物の入り口や建物内部にある部屋の入り口等に配置して湿気を吸収し、砂や土を吸着して外部の汚れが内部に影響を及ぼさないようにしている。特にマンションなどの建物ではペットの糞尿が付着して汚れ易く、また、生ごみなどの悪臭が抜けず、掃除が困難であった。したがって、従来のフロアマットは、吸水性が高く、汚れ易く、悪臭が抜け難いものであった。
また、建築物内部を必要に応じてリホームを行うような場合、前述した従来のフロアマットをリホーム材として利用すると、前述のように、汚れや匂いなどが付着し易く、それらの掃除などが難しく清掃作業が困難であるという問題があった。
【０００７】
本発明は、このような事情によりなされたものであり、掃除を簡単に迅速に行うことができ、建物内部の、例えば、エレベータ、トイレ、浴室などのリホームが容易に実施できて、汚れや匂いを防ぐことが可能なフロアマットを提供するものである。
【課題を解決するための手段】
【０００８】
本発明のフロアマットは、弾性を有する下地層と、当該下地層の表面に接着された平滑性を有する合成樹脂シートからなる表面層とを備え、前記下地層は、２ｍｍ〜１０ｍｍの厚さを有すること特徴としている。前記フロアマットは、建物内部のエレベータ、浴室、トイレ等の部屋のリホームに用いられ、当該部屋の床面は、当該床面を囲む周囲より低い段差を有しており、当該段差は、前記下地層の厚さを調整することにより前記フロアマットが埋められるようにしても良い。
【０００９】
前記フロアマットにおいて、平滑性のある合成樹脂シートを表面層に有しているので、当該フロアマットは、前記部屋に敷かれ、前記部屋の入り口に接する端部には、前記下地層と同じ材料で形成された段差エッジが設けられており、当該段差エッジと前記フロアマット端部との接合部分において、前記段差エッジ及び前記フロアマットの表面は、同一平面を構成しており、前記接合部分より離れた段差エッジ部分は、前記接合部分より薄く外方に延びているようにしても良い。
【発明の効果】
【００１０】
本発明のフロアマットは、平滑性のある合成樹脂シートを表面層に有しているので、ペットの糞尿や生ごみの匂いなどの掃除を簡単に迅速に行うことができ、建物内部の部屋のリホームが容易に実施でき、また、汚れや匂いを防ぐことが可能である。
フロアマットの下地層は、２〜１０ｍｍの厚さであり、この範囲にあることが敷設性、作業性、耐久性において好適である。例えば、フロアマットの下地層が２ｍｍ厚より薄いと、ぺらぺらで使用中に剥がれ易くなり、１０ｍｍを越えるとフロアマットの柔軟性は格段に悪くなり、敷設性、作業性が劣化する。
また、室内の床面に周囲より低い段差が無い場合、室内の出入り口に面したフロアマット端部には段差エッジが施されており、この存在により車椅子などの車の乗り降りが容易になり、また、躓きが防がれるなどの歩行性が良くなる。
【図面の簡単な説明】
【００１１】
【図１】実施例１に係るフロアマットの斜視図。
【図２】実施例２に係るフロアマットを敷設したエレベータの斜視図。
【図３】実施例２に係る段差エッジを付加したフロアマットの斜視図。
【図４】実施例３に係るフロアマットが敷設されたトイレの斜視図。
【図５】従来のフロアマットの斜視図。
【発明を実施するための形態】
【００１２】
以下、実施例を参照して発明の実施の形態を説明する。
【実施例１】
【００１３】
図１を参照して実施例１を説明する。
図１（ａ）に示すように、フロアマット１は、合成樹脂シートを表面層１１とし、表面層１１の裏面に固着されたゴムなどの弾性を有する下地層１２を有している。表面層１１及び下地層１２は、接着剤などにより固着され一体化されている。この実施例では、合成樹脂として、例えば、塩化ビニール樹脂が用いられる。
【００１４】
この実施例のフロアマットは、従来の繊維状の表面層を有するもの（図５参照）とは異なり、吸湿性が殆んど無く、ペットの糞尿などのごみや汚れ、生ごみの匂いなどを溜めないので、掃除を簡単に迅速に行うことができる。また、建物内部の部屋のリホームが容易に実施でき、汚れや匂いを防ぐことが可能である。さらに、このような特性を有することにより、フロアマットを建物内部のエレベータ、トイレ、浴室などのリホームに適用することができる。
【００１５】
また、フロアマット１を構成する表面層１１は、１ｍｍから３ｍｍが適当であり、下地層１２は、２ｍｍから１０ｍｍの厚さであることを特徴としている。このような構成により、リホーム時におけるフロアマットの敷設性、作業性、耐久性が好適になる。例えば、フロアマットの下地層が２ｍｍ厚より薄いと、ぺらぺらで使用中に床から剥がれ易くなり、安定して設置することが困難になり、１０ｍｍを越えるとフロアマットの柔軟性は格段に悪くなってその敷設性、作業性が悪くなる。
図１（ｂ）に示すように、このフロアマット１は、建物の中の一室において、床面がその周囲より低く、段差（ｈ）を有している場合に使用される。表面層１１は、１ｍｍから３ｍｍの範囲にある所定の厚さを有している。下地層１２は、２ｍｍから１０ｍｍの範囲にある複数種の厚さを有している。そして、リホームをするときに、複数の厚さを有するフロアマット１を用意し、各室の段差（ｈ）に合った厚さのフロアマット１をそこに敷設する。
以上、この実施例のフロアマットは、掃除を簡単に迅速に行うことができ、建物内部の部屋のリホームが容易に実施でき、ごみ、ペットの糞尿などの汚れや生ごみの匂いを溜めずにいち早く除去することができる。
【実施例２】
【００１６】
次に、図２及び図３を参照して実施例２を説明する。図２は、この実施例で説明するフロアマットが敷設されたエレベータの透過斜視図であり、図３は、このエレベータに用いるフロアマットの断面図を示している。この実施例で説明するフロアマットは、実施例１とは異なり、室内の床面とその周囲との間に図１（ｂ）に示す段差（ｈ）が無い部屋（室）に適用される。
この実施例で用いられるフロアマットは、例えば、エレベータ内部のリホームに使用される。リホームには必要に応じて側壁、天井、扉などに対して行われ、床のリホームは、その一環として行われる。
図１に示すフロアマットは、塩化ビニールなどからなる表面層１１と表面層１１を支持する下地層１２から構成されているが、図３に示すフロアマットは、その周辺の１端には下地層と同じ素材で構成された段差エッジ１３が形成されている。
【００１７】
このフロアマットは、エレベータのＰタイルなどで構成された床面の上に敷かれ、開閉扉のある入り口に接する端部には、前述した段差エッジ１３が設けられている。段差エッジ１３と前記フロアマット端部との接合部分において、前記段差エッジ１３及びフロアマット１の表面は、同一平面を構成している。段差エッジ１３の前記接合部分から離れた部分の厚さ（ｔ）は、前記接合部分の厚さ（Ｔ）より薄く（Ｔ＞ｔ）外方に延びているように構成されている。そして、フロアマット１が床面に敷かれると、段差エッジ１３は、下側の床面に接する部分が床面に密着し、上側は、前記下側に向かって湾曲する。
このような段差エッジ１３を有するフロアマット１は、図１（ｂ）に示す床面が周囲とは段差（ｈ）のある場所ではなく、図２に示す床面が周囲と段差が無くフラットな室内に敷設される。
このようなところでは、実施例１のフロアマットを用いると入り口部分においてマットによる段差が生じる。実施例２では、この段差を減じるために部屋（室）の入り口部分に段差エッジ１３を配するのである。
【００１８】
以上、この実施例のフロアマットは、従来の繊維状の表面層を有するものとは異なり、吸湿性が殆んど無く、ごみや汚れを溜めないので掃除を簡単に迅速に行うことができ、建物内部の部屋のリホームが容易に実施でき、汚れや匂いを防ぐことが可能である。
【００１９】
また、フロアマットの各層は、所定の厚さに構成されているので、リホーム時におけるフロアマットの敷設性、作業性、耐久性が好適になる。例えば、フロアマットの下地層が薄いと、ぺらぺらで使用中に剥がれ易くなり、安定して設置することが困難になり、厚いとフロアマットの柔軟性が格段に悪くなってその敷設性、作業性が悪くなる。
さらに、段差エッジを部屋の入り口に設けたので、躓きを防いで歩行性を良くすることができる。
【実施例３】
【００２０】
次に、図４を参照して実施例３を説明する。図は、トイレ内のフロアマットの敷設を説明する斜視図である。
この実施例では、建物内部の部屋の１つであるトイレのリホームにフロアマットを用いる。即ち、図１に示すフロアマット１は、便器が形成されたトイレのＰタイルなどで構成された床面上に敷かれる。
また、段差エッジ１３を有するフロアマット１を用いることができる（図３参照）。この場合、トイレの扉のある入り口に接するフロアマット１の端部には、前述した段差エッジ１３が設けられている。
以上、この実施例ではフロアマットを床面に敷設しているので、リホームを短時間で簡単に行うことが出来る。また、トイレ内の尿臭、汚れ、除菌に対しても、フロアマットは容易に交換出来るので迅速に対応することが出来る。また、この実施例のフロアマットは、従来の繊維状の表面層を有するものとは異なり、吸湿性が殆んど無く、ごみや汚れを溜めないので掃除を簡単に迅速に行うことができ、トイレのリホームが容易に実施できる。さらに、汚れや匂いを防ぐことが可能である。また、住宅展示場、浴室等のリホームにも利用することができる。
【符号の説明】
【００２１】
１・・・フロアマット
１１・・・表面層
１２・・・下地層
１３・・・段差エッジ
【図１】
2019019546.tif 000003
【図２】
2019019546.tif 000004
【図３】
2019019546.tif 000005
【図４】
2019019546.tif 000006
【図５】
2019019546.tif 000007